(57)【要約】【課題】再生映像と他の映像とを選択的に画面に表示する映像再生システムにおいて、映像信号を切り替える際に生じる表示映像の乱れを軽減する。【解決手段】ＭＰＥＧビデオストリーム供給部１２、バッファ１５、および、ＭＰＥＧビデオ復号部１６は、映像信号の再生系を構成する。黒映像ストリーム供給部１３は、黒映像を符号化して得られた黒映像ストリームを供給する。表示装置５０は、再生映像信号１２３または他の映像信号１２４に基づき、画面表示を行う。制御部１１は、映像再生時に映像ストリームの終端部分がバッファ１５に供給された時点で、ストリーム切替信号１２１を黒映像ストリームを指定するように切り替え、その時点から所定時間経過後に、映像切替信号１２２を他の映像信号１２４を指定するように切り替える。所定時間は、ストリームを切り替えてから表示部５２に黒映像が表示されるまでの時間より長くしておく。【選択図】　　　　図１
2004072618.tif 000002
【特許請求の範囲】
【請求項１】
映像再生装置と表示装置とを備え、前記映像再生装置で再生された映像と他の映像とを選択的に画面に表示する映像再生システムであって、
前記映像再生装置は、
復号すべきストリームを選択するための第１の制御信号と、映像信号を選択するための第２の制御信号とを出力する制御手段と、
表示すべき映像を符号化して得られた映像ストリームを供給する映像ストリーム供給手段と、
固定映像を符号化して得られた固定映像ストリームを供給する固定映像ストリーム供給手段と、
前記第１の制御信号に従い、前記映像ストリームまたは前記固定映像ストリームのいずれかを切り替えて出力するストリーム切替手段と、
前記ストリーム切替手段から出力されたストリームを一時的に蓄積するバッファ手段と、
前記バッファ手段に蓄積されたストリームを復号し、再生映像信号を出力する復号手段とを含み、
前記表示装置は、
前記第２の制御信号に従い、前記再生映像信号、または、供給された他の映像信号のいずれかを切り替えて出力する映像信号切替手段と、
前記映像信号切替手段から出力された映像信号に基づき、画面表示を行う表示手段とを含み、
前記制御手段は、映像再生時には、前記映像ストリームを指定する前記第１の制御信号と、前記再生映像信号を指定する前記第２の制御信号とを出力し、前記映像ストリームの終端部分が前記映像ストリーム供給手段から前記バッファ手段に供給された時点で、前記第１の制御信号を前記固定映像ストリームを指定するように切り替え、前記時点から所定時間経過後に、前記第２の制御信号を前記他の映像信号を指定するように切り替えることを特徴とする、映像再生システム。
【請求項２】
前記制御手段における所定時間は、前記固定映像ストリームが前記バッファ手段に供給されたときから、前記表示手段に固定映像が表示されるまでの時間より長いことを特徴とする、請求項１に記載の映像再生システム。
【請求項３】
前記映像再生装置は、前記映像ストリームから、映像信号のフォーマットを求めるフォーマット判別手段をさらに含み、
前記固定映像ストリーム供給手段は、前記フォーマット判別手段で求めたフォーマットを有する固定映像を符号化して得られたストリームを、前記固定映像ストリームとして供給することを特徴とする、請求項２に記載の映像再生システム。
【請求項４】
前記映像ストリーム供給手段は、ＭＰＥＧ規格に準拠したビデオエレメンタリーストリームを、前記映像ストリームとして供給することを特徴とする、請求項３に記載の映像再生システム。
【請求項５】
前記映像ストリーム供給手段は、前記映像ストリームを他のストリームと多重化した状態で供給し、
前記映像再生装置は、前記映像ストリーム供給手段から供給されたストリームから、ストリーム多重化に関するパラメータを抽出するパラメータ抽出手段をさらに含み、
前記固定映像ストリーム供給手段は、前記パラメータ抽出手段で抽出したパラメータに基づき、前記復号手段が前記映像ストリームに引き続いて復号できるような状態で、前記固定映像ストリームを供給することを特徴とする、請求項２に記載の映像再生システム。
【請求項６】
前記映像ストリーム供給手段は、ＭＰＥＧ２規格に準拠したプログラムストリームの状態で、前記映像ストリームを供給することを特徴とする、請求項５に記載の映像再生システム。
【請求項７】
前記映像ストリーム供給手段は、ＭＰＥＧ２規格に準拠したトランスポートストリームの状態で、前記映像ストリームを供給することを特徴とする、請求項５に記載の映像再生システム。
【請求項８】
前記固定映像ストリーム供給手段は、単一色の固定映像を符号化して得られたストリームを、前記固定映像ストリームとして供給することを特徴とする、請求項２に記載の映像再生システム。
【請求項９】
映像再生装置と表示装置とを備え、前記映像再生装置で再生された映像と他の映像とを選択的に画面に表示する映像再生システムであって、
前記映像再生装置は、
映像信号を選択するための制御信号を出力する制御手段と、
表示すべき映像を符号化して得られた映像ストリームと、第１の所定時間の固定映像を符号化して得られた固定映像ストリームとを連結したストリームを供給するストリーム供給手段と、
前記ストリーム供給手段から供給されたストリームを一時的に蓄積するバッファ手段と、
前記バッファ手段に蓄積されたストリームを復号し、再生映像信号を出力する復号手段とを含み、
前記表示装置は、
前記制御信号に従い、前記再生映像信号、または、供給された他の映像信号のいずれかを切り替えて出力する映像信号切替手段と、
前記映像信号切替手段から出力された映像信号に基づき、画面表示を行う表示手段とを含み、
前記制御手段は、映像再生時には、前記再生映像信号を指定する前記制御信号を出力し、前記映像ストリームの終端部分が前記ストリーム供給手段から前記バッファ手段に供給された時点から第２の所定時間経過後に、前記制御信号を前記他の映像信号を指定するように切り替えることを特徴とする、映像再生システム。
【請求項１０】
前記第２の所定時間は、前記固定映像ストリームが前記バッファ手段に供給されたときから、前記表示手段に固定映像が表示されるまでの時間より長く、かつ、前記第１の所定時間より短いことを特徴とする、請求項９に記載の映像再生システム。
【請求項１１】
前記ストリーム供給手段は、ＭＰＥＧ規格に準拠したビデオエレメンタリーストリームを、前記映像ストリームおよび前記固定映像ストリームとして供給することを特徴とする、請求項１０に記載の映像再生システム。
【請求項１２】
前記ストリーム供給手段は、前記映像ストリームを他のストリームと多重化した状態で供給し、その後に、前記復号手段が前記映像ストリームに引き続いて復号できるような状態で、前記固定映像ストリームを他のストリームと多重化した状態で供給することを特徴とする、請求項１０に記載の映像再生システム。
【請求項１３】
前記ストリーム供給手段は、ＭＰＥＧ２規格に準拠したプログラムストリームの状態で、前記映像ストリームおよび前記固定映像ストリームを供給することを特徴とする、請求項１２に記載の映像再生システム。
【請求項１４】
前記ストリーム供給手段は、ＭＰＥＧ２規格に準拠したトランスポートストリームの状態で、前記映像ストリームおよび前記固定映像ストリームを供給することを特徴とする、請求項１２に記載の映像再生システム。
【請求項１５】
前記ストリーム供給手段は、単一色の固定映像を符号化して得られたストリームを、前記固定映像ストリームとして供給することを特徴とする、請求項１０に記載の映像再生システム。
【発明の詳細な説明】
【０００１】
【発明の属する技術分野】
本発明は、映像再生装置と表示装置とを備えた映像再生システムに関し、より特定的には、映像再生装置で再生された映像と他の映像とを選択的に画面に表示する映像再生システムに関する。
【０００２】
【従来の技術】
表示装置に入力される映像信号を別系統の映像信号に切り替えるときに、表示映像に乱れが生じる場合がある。この表示映像の乱れを軽減する方式として、従来から、表示装置で黒色等の固定色を生成する方式が知られている。図１０は、従来の表示装置の構成を示すブロック図である。図１０に示す表示装置９０は、制御信号を入力するための制御入力端子Ｃと、映像信号を入力するための映像入力端子Ｄとを有している。黒映像信号生成部９１は、黒色等の色レベルを有する信号（以下、黒映像信号という）を固定的に出力する。映像切替信号生成部９２は、制御入力端子Ｃから入力された制御信号に基づき、映像切替信号１９１を生成する。映像信号切替部９３は、映像切替信号１９１に従い、映像入力端子Ｄから入力された映像信号、または、黒映像信号生成部９１で生成された黒映像信号のいずれかを切り替えて出力する。表示部９４は、映像信号切替部９３から出力された映像信号に基づき、画面表示を行う。
【０００３】
信号源の切り替え等により映像信号を切り替えるときには、表示装置９０には、映像信号の切り替えを示す制御信号が入力される。このとき、映像切替信号生成部９２は、所定の時間Ｔだけ、黒映像信号を指定する映像切替信号１９１を出力する。これにより、時間Ｔが経過するまでの間、映像信号切替部９３は黒映像信号を選択して出力し、表示部９４には画面全体が黒色である映像が表示される。時間Ｔが経過する前に、映像入力端子Ｄから入力される映像信号は、別系統の映像信号に切り替えられる。時間Ｔが経過したときに、映像切替信号生成部９２は、映像信号を指定する映像切替信号１９１を出力する。これにより、時間Ｔが経過した後は、映像信号切替部９３は入力された映像信号を選択して出力し、表示部９４は入力された映像信号に基づき画面表示を行う。このような表示装置９０によれば、黒色等の固定色を生成することにより、映像信号を切り替えるときに生じる表示映像の乱れを除去することができる。
【０００４】
【発明が解決しようとする課題】
しかしながら、上記従来の技術では、表示装置が映像信号の切り替えを制御するので、入力された映像信号に既に乱れた映像が含まれている場合には、表示映像の乱れを軽減できないという問題がある。例えば、表示装置に入力される映像信号がＭＰＥＧ規格に準拠した映像ストリームを復号して得られた映像信号である場合には、ＭＰＥＧビデオ復号部が、映像ストリームの供給が停止した時点で最後に復号した画面を出力してフリーズしたり、あるいは、映像ストリームの供給停止後に乱れた映像を出力したりする場合がある。このような表示映像の乱れは、視聴者に不快感を与える。
【０００５】
それ故に、本発明は、映像信号を切り替える際に生じる表示映像の乱れを軽減する映像再生システムを提供することを目的とする。
【０００６】
【課題を解決するための手段および発明の効果】
第１の発明は、映像再生装置と表示装置とを備え、映像再生装置で再生された映像と他の映像とを選択的に画面に表示する映像再生システムであって、
映像再生装置は、
復号すべきストリームを選択するための第１の制御信号と、映像信号を選択するための第２の制御信号とを出力する制御手段と、
表示すべき映像を符号化して得られた映像ストリームを供給する映像ストリーム供給手段と、
固定映像を符号化して得られた固定映像ストリームを供給する固定映像ストリーム供給手段と、
第１の制御信号に従い、映像ストリームまたは固定映像ストリームのいずれかを切り替えて出力するストリーム切替手段と、
ストリーム切替手段から出力されたストリームを一時的に蓄積するバッファ手段と、
バッファ手段に蓄積されたストリームを復号し、再生映像信号を出力する復号手段とを含み、
表示装置は、
第２の制御信号に従い、再生映像信号、または、供給された他の映像信号のいずれかを切り替えて出力する映像信号切替手段と、
映像信号切替手段から出力された映像信号に基づき、画面表示を行う表示手段とを含み、
制御手段は、映像再生時には、映像ストリームを指定する第１の制御信号と、再生映像信号を指定する第２の制御信号とを出力し、映像ストリームの終端部分が映像ストリーム供給手段からバッファ手段に供給された時点で、第１の制御信号を固定映像ストリームを指定するように切り替え、その時点から所定時間経過後に、第２の制御信号を他の映像信号を指定するように切り替えることを特徴とする。
このような第１の発明によれば、映像再生装置は、映像ストリームの終端部分がバッファ手段に供給されたときに、復号すべきストリームを映像ストリームから固定映像ストリームに切り替え、再生映像信号に代えて固定映像（例えば、画面全体が黒色である映像）を出力し始める。また、映像再生装置は、ストリームの切り替えから所定時間経過後に、表示装置に表示される映像を切り替える。ストリームの切り替えと映像信号の切り替えとを所定の時間差で行うことにより、固定映像が表示されている間に映像信号を切り替えることができる。これにより、映像信号を切り替える際に生じる表示映像の乱れを軽減することができる。
【０００７】
第２の発明は、第１の発明において、制御手段における所定時間は、固定映像ストリームがバッファ手段に供給されたときから、表示手段に固定映像が表示されるまでの時間より長いことを特徴とする。
このような第２の発明によれば、表示装置に固定映像が表示された後に、映像信号の切り替えが行われる。したがって、映像信号を切り替える際に生じる表示映像の乱れを軽減することができる。
【０００８】
第３の発明は、第２の発明において、映像再生装置は、映像ストリームから、映像信号のフォーマットを求めるフォーマット判別手段をさらに含み、
固定映像ストリーム供給手段は、フォーマット判別手段で求めたフォーマットを有する固定映像を符号化して得られたストリームを、固定映像ストリームとして供給することを特徴とする。
このような第３の発明によれば、映像再生装置は、映像ストリームから映像信号のフォーマットを求め、ストリーム切り替えの前後で画面サイズや走査方式が一致するように、固定映像ストリームのフォーマットを変更する。このため、復号手段および表示手段は、ストリーム切り替え後も、リセット動作を行うことなく、引き続いて固定映像ストリームを復号して表示することができる。したがって、表示すべき映像が画面サイズや走査方式の異なる複数のフォーマットを取りうる場合でも、映像信号を切り替える際に生じる表示映像の乱れを軽減することができる。
【０００９】
第４の発明は、第３の発明において、映像ストリーム供給手段は、ＭＰＥＧ規格に準拠したビデオエレメンタリーストリームを、映像ストリームとして供給することを特徴とする。
このような第４の発明によれば、映像ストリームがＭＰＥＧビデオエレメンタリーストリームである場合について、映像信号を切り替える際に生じる表示映像の乱れを軽減することができる。
【００１０】
第５の発明は、第２の発明において、映像ストリーム供給手段は、映像ストリームを他のストリームと多重化した状態で供給し、
映像再生装置は、映像ストリーム供給手段から供給されたストリームから、ストリーム多重化に関するパラメータを抽出するパラメータ抽出手段をさらに含み、
固定映像ストリーム供給手段は、パラメータ抽出手段で抽出したパラメータに基づき、復号手段が映像ストリームに引き続いて復号できるような状態で、固定映像ストリームを供給することを特徴とする。
このような第５の発明によれば、映像再生装置は、映像ストリームと他のストリームとが多重化されたストリームからストリーム多重化に関するパラメータを求め、ストリーム切り替え後も引き続いて復号できるような固定映像ストリームを生成する。このため、復号手段および表示手段は、ストリーム切り替え後も、リセット動作を行うことなく、引き続いて固定映像ストリームを復号して表示することができる。したがって、映像ストリームがＭＰＥＧプログラムストリームやＭＰＥＧトランスポートストリーム等の状態で供給される場合でも、映像信号を切り替える際に生じる表示映像の乱れを軽減することができる。
【００１１】
第６の発明は、第５の発明において、映像ストリーム供給手段は、ＭＰＥＧ２規格に準拠したプログラムストリームの状態で、映像ストリームを供給することを特徴とする。
このような第６の発明によれば、映像ストリームがＭＰＥＧプログラムストリームの状態で供給される場合について、映像信号を切り替える際に生じる表示映像の乱れを軽減することができる。
【００１２】
第７の発明は、第５の発明において、映像ストリーム供給手段は、ＭＰＥＧ２規格に準拠したトランスポートストリームの状態で、映像ストリームを供給することを特徴とする。
このような第７の発明によれば、映像ストリームがＭＰＥＧトランスポートストリームの状態で供給される場合について、映像信号を切り替える際に生じる表示映像の乱れを軽減することができる。
【００１３】
第８の発明は、第２の発明において、固定映像ストリーム供給手段は、単一色の固定映像を符号化して得られたストリームを、固定映像ストリームとして供給することを特徴とする。
このような第８の発明によれば、映像信号を切り替える際に単一色の固定映像を表示することにより、映像信号を切り替える際に生じる表示映像の乱れを軽減することができる。
【００１４】
第９の発明は、映像再生装置と表示装置とを備え、映像再生装置で再生された映像と他の映像とを選択的に画面に表示する映像再生システムであって、
映像再生装置は、
映像信号を選択するための制御信号を出力する制御手段と、
表示すべき映像を符号化して得られた映像ストリームと、第１の所定時間の固定映像を符号化して得られた固定映像ストリームとを連結したストリームを供給するストリーム供給手段と、
ストリーム供給手段から供給されたストリームを一時的に蓄積するバッファ手段と、
バッファ手段に蓄積されたストリームを復号し、再生映像信号を出力する復号手段とを含み、
表示装置は、
制御信号に従い、再生映像信号、または、供給された他の映像信号のいずれかを切り替えて出力する映像信号切替手段と、
映像信号切替手段から出力された映像信号に基づき、画面表示を行う表示手段とを含み、
制御手段は、映像再生時には、再生映像信号を指定する制御信号を出力し、映像ストリームの終端部分がストリーム供給手段からバッファ手段に供給された時点から第２の所定時間経過後に、制御信号を他の映像信号を指定するように切り替えることを特徴とする。
このような第９の発明によれば、映像再生装置は、映像ストリームと固定映像ストリームとを連結したストリームを復号する。また、映像再生装置は、映像ストリームの終端部分がバッファ手段に供給されたときから第２の所定時間経過後に、表示装置に表示される映像を切り替える。固定映像ストリームの長さを十分に長くし、ストリームの切り替えと映像信号の切り替えとを所定の時間差で行うことにより、固定映像が表示されている間に映像信号を切り替えることができる。これにより、固定映像ストリームをリアルタイムで生成することなく、映像信号を切り替える際に生じる表示映像の乱れを軽減することができる。
【００１５】
第１０の発明は、第９の発明において、第２の所定時間は、固定映像ストリームがバッファ手段に供給されたときから、表示手段に固定映像が表示されるまでの時間より長く、かつ、第１の所定時間より短いことを特徴とする。
このような第１０の発明によれば、表示装置に固定映像が表示されている間に、映像信号の切り替えが行われる。したがって、映像信号を切り替える際に生じる表示映像の乱れを軽減することができる。
【００１６】
第１１の発明は、第１０の発明において、ストリーム供給手段は、ＭＰＥＧ規格に準拠したビデオエレメンタリーストリームを、映像ストリームおよび固定映像ストリームとして供給することを特徴とする。
このような第１１の発明によれば、映像ストリームがＭＰＥＧビデオエレメンタリーストリームである場合について、映像信号を切り替える際に生じる表示映像の乱れを軽減することができる。
【００１７】
第１２の発明は、第１０の発明において、ストリーム供給手段は、映像ストリームを他のストリームと多重化した状態で供給し、その後に、復号手段が映像ストリームに引き続いて復号できるような状態で、固定映像ストリームを他のストリームと多重化した状態で供給することを特徴とする。
このような第１２の発明によれば、映像ストリームには、映像ストリームに引き続いて復号できるような固定映像ストリームが連結される。このため、復号手段および表示手段は、ストリーム切り替え後も、リセット動作を行うことなく、引き続いて固定映像ストリームを復号して表示することができる。したがって、映像ストリームがＭＰＥＧプログラムストリームやＭＰＥＧトランスポートストリーム等の状態で供給される場合でも、映像信号を切り替える際に生じる表示映像の乱れを軽減することができる。
【００１８】
第１３の発明は、第１２の発明において、ストリーム供給手段は、ＭＰＥＧ２規格に準拠したプログラムストリームの状態で、映像ストリームおよび固定映像ストリームを供給することを特徴とする。
このような第１３の発明によれば、映像ストリームがＭＰＥＧプログラムストリームの状態で供給される場合について、映像信号を切り替える際に生じる表示映像の乱れを軽減することができる。
【００１９】
第１４の発明は、第１２の発明において、ストリーム供給手段は、ＭＰＥＧ２規格に準拠したトランスポートストリームの状態で、映像ストリームおよび固定映像ストリームを供給することを特徴とする。
このような第１４の発明によれば、映像ストリームがＭＰＥＧトランスポートストリームの状態で供給される場合について、映像信号を切り替える際に生じる表示映像の乱れを軽減することができる。
【００２０】
第１５の発明は、第１０の発明において、ストリーム供給手段は、単一色の固定映像を符号化して得られたストリームを、固定映像ストリームとして供給することを特徴とする。
このような第１５の発明によれば、映像信号を切り替える際に単一色の固定映像を表示することにより、映像信号を切り替える際に生じる表示映像の乱れを軽減することができる。
【００２１】
【発明の実施の形態】
（第１の実施形態）
図１は、本発明の第１の実施形態に係る映像再生システムの構成を示すブロック図である。図１に示す映像再生システム１は、映像再生装置１０と表示装置５０とを備えている。映像再生装置１０は、制御部１１、ＭＰＥＧビデオストリーム供給部１２、黒映像ストリーム供給部１３、映像ストリーム切替部１４、バッファ１５、および、ＭＰＥＧビデオ復号部１６を含んでいる。表示装置５０は、映像信号切替部５１、および、表示部５２を含んでいる。
【００２２】
ＭＰＥＧビデオストリーム供給部１２、バッファ１５、および、ＭＰＥＧビデオ復号部１６は、次のような映像信号の再生系を構成する。ＭＰＥＧビデオストリーム供給部１２は、ＭＰＥＧビデオ規格に準拠した映像ストリーム（ＭＰＥＧビデオエレメンタリーストリーム）を蓄積している。ＭＰＥＧビデオストリーム供給部１２は、蓄積した映像ストリームを、映像ストリーム切替部１４を経由してバッファ１５に供給する。バッファ１５は、ＭＰＥＧビデオ復号部１６のデータバッファとして機能し、ＭＰＥＧビデオストリーム供給部１２から供給された映像ストリームを一時的に蓄積する。ＭＰＥＧビデオ復号部１６は、バッファ１５に蓄積された映像ストリームを適宜読み出してＭＰＥＧビデオ規格に準拠して復号し、復号結果である再生映像信号１２３を出力する。再生映像信号１２３は、表示装置５０に入力される。なお、ＭＰＥＧビデオストリーム供給部１２は、内部に蓄積した映像ストリームを供給することに代えて、映像再生装置１０の外部から映像ストリームを通信や放送等により取得し、取得した映像ストリームを供給してもよい。
【００２３】
黒映像ストリーム供給部１３は、画面全体が黒色である固定映像をＭＰＥＧ規格に準拠して符号化して得られたストリーム（以下、黒映像ストリームという）を供給する。黒映像ストリーム供給部１３が供給する黒映像ストリームは、固定映像（すなわち、時間的に変化しない映像）を符号化して得られたストリームであれば、映像の内容は任意でよい。ただし、実用上、黒映像ストリームは、画面全体が黒や青等の単一色の固定映像を符号化して得られたストリームであることが好ましい。
【００２４】
制御部１１は、バッファ１５の状態を監視し、ストリーム切替信号１２１と映像切替信号１２２とを出力する。制御部１１の詳細は、後述する。映像ストリーム切替部１４は、制御部１１から出力されたストリーム切替信号１２１に従い、ＭＰＥＧビデオストリーム供給部１２から供給された映像ストリーム、または、黒映像ストリーム供給部１３から供給された黒映像ストリームのいずれかを、バッファ１５に対して出力する。
【００２５】
表示装置５０は、映像信号を入力するための複数の映像入力端子（図１ではＤ１とＤ２）と、制御信号を入力するための制御入力端子（図１ではＣ）とを有している。第１の映像入力端子Ｃ１からは、ＭＰＥＧビデオ復号部１６から出力された再生映像信号１２３が入力される。第２の映像入力端子Ｃ２からは、他の映像信号出力装置から出力された映像信号１２４が入力される。制御入力端子Ｄからは、制御部１１から出力された映像切替信号１２２が入力される。
【００２６】
映像信号切替部５１には、表示装置５０に入力された制御信号および複数の映像信号が入力される。映像信号切替部５１は、表示装置５０の外部から入力された映像切替信号１２２に従い、再生映像信号１２３、または、他の映像信号出力装置から出力された映像信号１２４のいずれかを、表示部５２に対して出力する。表示部５２は、映像信号切替部５１から出力された映像信号に基づき、画面表示を行う。
【００２７】
以上の説明をまとめると、映像再生システム１は、制御部１１から２種類の制御信号を出力することにより、以下の３とおりの動作を行う。すなわち、映像再生システム１は、映像切替信号１２２で「再生映像信号」を指定し、ストリーム切替信号１２１で「映像ストリーム」を指定することにより、ＭＰＥＧビデオストリーム供給部１２から供給された映像ストリームをＭＰＥＧビデオ復号部１６で復号して画面表示を行う。また、映像再生システム１は、映像切替信号１２２で「再生映像信号」を指定し、ストリーム切替信号１２１で「黒映像ストリーム」を指定することにより、黒映像ストリーム供給部１３から供給された黒映像ストリームをＭＰＥＧビデオ復号部１６で復号して画面表示を行う。さらに、映像再生システム１は、映像切替信号１２２で「再生映像信号以外の映像信号」を指定することにより、他の映像信号出力装置から出力された映像信号１２４に基づき画面表示を行う。
【００２８】
次に、制御部１１の詳細について説明する。制御部１１は、上述したように、バッファ１５の状態を監視し、ストリーム切替信号１２１と映像切替信号１２２とを出力する。制御部１１は、典型的には、映像再生装置１０に含まれるＣＰＵ（図示せず）が所定のプログラムを実行することにより実現される。制御部１１は、映像再生時には、「映像ストリーム」を指定したストリーム切替信号１２１と、「再生映像信号」を指定した映像切替信号１２２とを出力する。このとき、制御部１１は、ＭＰＥＧビデオストリーム供給部１２からバッファ１５に対して、映像ストリームの終端部分が供給されたか否かを調べる。図１に示す検出信号１１１は、映像ストリームの終端部分が供給されたことを示す信号である。制御部１１は、映像ストリームの終端部分がバッファ１５に供給されたことを検出したときに（以下、終端検出時点という）、直ちに、ストリーム切替信号１２１を「黒映像ストリーム」を指定するように切り替える。これにより、終端検出時点より後では、ＭＰＥＧビデオ復号部１６には黒映像ストリームが供給される。
【００２９】
終端検出時点より所定の時間Ｔ１だけ経過したときに、制御部１１は、映像切替信号１２２を「再生映像信号以外の映像信号」を指定するように切り替える。ただし、時間Ｔ１は、黒映像ストリームがバッファ１５に供給されたときから、表示部５２に黒映像が表示されるまでの時間Ｔ２より長いものとする。したがって、映像再生システム１は、終端検出時点から時間Ｔ２だけ経過したときに、黒映像を画面に表示し、その後、終端検出時点から時間Ｔ１だけ経過したときに、映像信号１２４に基づく画面を表示し始める。つまり、映像再生システム１は、映像ストリームの再生を終えたときには、黒映像を画面に表示し、その後に表示映像を切り替える。よって、本実施形態に係る映像再生システム１によれば、映像ストリームの供給が停止したときにＭＰＥＧビデオ復号部１６が乱れた映像信号を出力する場合でも、映像信号を切り替える際に生じる表示映像の乱れを軽減することができる。
【００３０】
なお、映像再生システム１では、黒映像ストリームがバッファ１５に供給されたときから、表示部５２に黒映像が表示されるまでの時間Ｔ２は、映像ストリームの内容やＭＰＥＧビデオ復号部１６の特性等によって異なり、一定ではない。しかし、各種の映像ストリームについて上記時間Ｔ２を実験的に求め、時間Ｔ２の最大値と最小値とを予め求めておくことができる。したがって、制御部１１における時間Ｔ１には、このようにして求めた時間Ｔ２の最大値より長い時間を使用すればよい。
【００３１】
また、制御部１１が映像ストリームの終端部分を検出する方法としては、以下のような方法が考えられる。制御部１１が映像ストリームの供給に関与しない場合には、制御部１１は、映像ストリームの終端を示すコード（シーケンスエンドコード）がバッファ１５に蓄積されたことを検出したときに、映像ストリームの終端部分を検出したと判断してもよい。また、制御部１１は、バッファ１５に蓄積されているストリームのサイズを監視し、そのサイズが所定の時間だけ連続して減少したことを検出したときに、映像ストリームの終端部分を検出したと判断してもよい。また、制御部１１は、バッファ１５の書き込みポインタを監視し、書き込みポインタが所定の時間だけ変化しないことを検出したときに、映像ストリームの終端部分を検出したと判断してもよい。
【００３２】
制御部１１が映像ストリームの供給に関与する場合には、制御部１１は、映像ストリームの残りサイズを監視し、残りサイズがゼロになったことを検出したときに、映像ストリームの終端部分を検出したと判断してもよい。また、制御部１１は、映像ストリームの残りサイズがゼロに十分近くなったときに、映像ストリームの終端部分を検出したと判断してもよい。このように、制御部１１は、映像ストリームの真の終端を検出することに代えて、映像ストリームのほぼ終端に当たる部分を検出してもよい。
【００３３】
（第２の実施形態）
図２は、本発明の第２の実施形態に係る映像再生システムの構成を示すブロック図である。図２に示す映像再生システム２は、映像再生装置２０と表示装置５０とを備えている。映像再生装置２０は、制御部１１、ＭＰＥＧビデオストリーム供給部２１、フォーマット判別部２２、黒映像ストリーム供給部２３、映像ストリーム切替部１４、バッファ１５、および、ＭＰＥＧビデオ復号部１６を含んでいる。表示装置５０は、映像信号切替部５１、および、表示部５２を含んでいる。本実施形態の構成要素のうち、第１の実施形態と同一の構成要素については、同一の参照符号を付して、説明を省略する。
【００３４】
例えば、ＢＳ（Ｂｒｏａｄｃａｓｔｉｎｇ　Ｓａｔｅｌｌｉｔｅ）デジタル放送では、従来のアナログ放送で採用されていた標準画質の映像信号に加えて、新たに高精細画質の映像信号が導入されている。図３は、ＢＳデジタル放送で用いられる映像信号のフォーマットを示す図である。図３に示す４種類のフォーマットを比較すると、有効走査線数が４８０本、７２０本、および、１０８０本と異なるために、縦横の画素数が異なり、画面サイズも互いに異なる。また、走査方式について言えば、飛越走査（インタレース方式）と順次走査（プログレッシブ方式）の２種類の方式が用いられる。
【００３５】
ところが、第１の実施形態に係る映像再生システム１において、ストリーム切り替えの前後で映像信号のフォーマットが異なっていると、ＭＰＥＧビデオ復号部が黒映像を出力するまでに長い初期化時間を要する場合や、ＭＰＥＧビデオ復号部が黒映像ストリームを正しく復号できない場合がある。そこで、本実施形態に係る映像再生システム２は、直前の映像ストリームと同じフォーマットを有する黒映像ストリームを生成する。
【００３６】
映像再生システム２は、以下のように動作する。ＭＰＥＧビデオストリーム供給部２１は、第１の実施形態と同様に、映像ストリームとして、ＭＰＥＧビデオエレメンタリーストリームを蓄積している。ただし、ＭＰＥＧビデオストリーム供給部２１は、画面サイズや走査方式の異なる複数のフォーマットを有する映像信号を符号化して得られた、複数の映像ストリームを蓄積しているとする。ＭＰＥＧビデオストリーム供給部２１は、第１の実施形態と同様に、蓄積した映像ストリームを、映像ストリーム切替部１４を経由してバッファ１５に供給する。
【００３７】
フォーマット判別部２２は、ＭＰＥＧビデオストリーム供給部２１から出力された映像ストリームから、映像信号のフォーマットを判別する。より詳細には、フォーマット判別部２２は、ＭＰＥＧビデオエレメンタリーストリームに含まれている４バイト長のシーケンススタートコード（ｓｅｑｕｅｎｃｅ＿ｓｔａｒｔ＿ｃｏｄｅ　）を検出し、その直後に現れるシーケンスヘッダを抽出する。シーケンスヘッダには、図４に示すような各種のデータが含まれている。
【００３８】
映像フォーマット判別部２２は、抽出したシーケンスヘッダから、映像信号のフォーマットに関する情報として、水平画素数（ｈｏｒｉｚｏｎｔａｌ＿ｓｉｚｅ＿ｖａｌｕｅ　）、垂直画素数（ｖｅｒｔｉｃａｌ＿ｓｉｚｅ＿ｖａｌｕｅ　）、アスペクト比（ａｓｐｅｃｔ＿ｒａｔｉｏ＿ｉｎｆｏｒｍａｔｉｏｎ）、フレームレート（ｆｒａｍｅ＿ｒａｔｅ＿ｃｏｄｅ　）を求める。黒映像ストリーム供給部２３は、フォーマット判別部２２からこれらの情報を受け取り、これらの情報に応じて黒映像ストリームを生成して供給する。より詳細には、黒映像ストリーム供給部２３は、受け取った情報で定義されるフォーマットを有し、黒色等の固定映像をＭＰＥＧ規格に準拠して符号化して得られた黒映像ストリームを生成して供給する。
【００３９】
映像再生システム２は、ストリーム切り替え時点で再生されていた映像ストリームに合わせて、黒映像ストリームに含まれる映像信号のフォーマットを変更する点を除き、第１の実施形態に係る映像再生システム１と同様に動作する。このため、ＭＰＥＧビデオ復号部１６および表示部５２は、ストリーム切り替え後も、リセット動作を行うことなく、引き続いて黒映像ストリームを復号して表示することができる。したがって、表示すべき映像が画面サイズや走査方式の異なる複数のフォーマットを取りうる場合でも、映像信号を切り替える際に生じる表示映像の乱れを軽減することができる。
【００４０】
なお、映像再生システムを特定の用途で使用するときには、システムで使用する映像信号のフォーマットは、数種類程度に限られる場合が多い。例えば、ＢＳデジタル放送では、図３に示す４種類のフォーマットが使用される。このような場合には、黒映像ストリーム供給部２３は、システムで使用される各種のフォーマットを有する黒映像ストリームを予めすべて蓄積し、これらの黒映像ストリームの中から、フォーマット判別部２２から受け取った情報に応じて、いずれかの黒映像ストリームを選択して供給してもよい。これにより、ストリーム切り替え時に黒映像ストリームを新たに生成する必要がなくなるので、映像再生システムの負荷を軽減することができる。
【００４１】
また、上記の説明では、黒映像ストリーム供給部２３が黒映像ストリームに含まれる映像信号のフォーマットを変更することとしたが、これに代えて、黒映像ストリーム供給部２３は１種類の黒映像ストリームを固定的に供給し、バッファ１５にアクセスして、バッファ１５に蓄積されている黒映像ストリームに含まれる映像信号のフォーマットを変更してもよい。
【００４２】
また、上記の説明では、映像ストリームがＭＰＥＧビデオエレメンタリーストリームであり、フォーマット判別部２２はシーケンスヘッダから映像信号のフォーマットに関する情報を取得することとした。ところが、再生されるストリームの種類によっては、シーケンスヘッダ以外の部分に、映像信号のフォーマットに関する情報が含まれている場合もある。このような場合には、フォーマット判別部２２は、シーケンスヘッダ以外の部分からも、映像信号のフォーマットに関する情報を取得することは言うまでもない。
【００４３】
（第３の実施形態）
図５は、本発明の第３の実施形態に係る映像再生システムの構成を示すブロック図である。図５に示す映像再生システム３は、映像再生装置３０と表示装置５０とを備えている。映像再生装置３０は、制御部１１、ＭＰＥＧトランスポートストリーム供給部３１、パラメータ抽出部３２、黒映像ストリーム供給部３３、映像ストリーム切替部１４、バッファ１５、ＭＰＥＧシステム復号部３４、および、ＭＰＥＧビデオ復号部１６を含んでいる。表示装置５０は、映像信号切替部５１、および、表示部５２を含んでいる。本実施形態の構成要素のうち、第１の実施形態と同一の構成要素については、同一の参照符号を付して、説明を省略する。
【００４４】
ＭＰＥＧ規格に準拠した映像ストリームは、ＭＰＥＧビデオエレメンタリーストリームそのままの状態で利用される場合と、オーディオエレメンタリーストリームなど他のストリームと多重化された状態で利用される場合とがある。後者の典型例として、映像ストリームを、ＭＰＥＧ２システム規格（ＩＳＯ／ＩＥＣ　１３８１８−１　）で規定されたＭＰＥＧトランスポートストリームに多重化して利用する場合がある。トランスポートストリームを用いる方式は、米国のＤＴＶ（Ｄｉｇｉｔａｌ　Ｔｅｌｅｖｉｓｉｏｎ）やわが国のＢＳデジタル放送にも採用されている。
【００４５】
トランスポートストリームは、１８８バイトの長さを有するパケットによって構成される。各パケットには、パケットヘッダとデータとが含まれる。図６は、パケットヘッダの内容を示すテーブルである。各パケットに含まれるデータは、ビデオ、オーディオ、プログラム仕様情報（Ｐｒｏｇｒａｍ　Ｓｐｅｃｉｆｉｃ　Ｉｎｆｏｒｍａｔｉｏｎ：以下、ＰＳＩと記す）、および、その他のデータのうち、いずれかである。各パケットに含まれるデータの種類は、パケットヘッダに含まれるパケットＩＤ（以下、ＰＩＤと記す）によって判別される。
【００４６】
トランスポートストリームにおいて各パケットにどのＰＩＤが割り当てられているかを示す情報は、ＰＳＩに含まれるプログラムマップテーブル（Ｐｒｏｇｒａｍ　Ｍａｐ　Ｔａｂｌｅ　：以下、ＰＭＴと記す）のパケットに記述されている。ＰＭＴ自体のＰＩＤは、プログラムアソシエーションテーブル（Ｐｒｏｇｒａｍ　Ａｓｓｏｃｉａｔａｉｏｎ　Ｔａｂｌｅ：以下、ＰＡＴと記す）のパケットに記述されている。また、ＰＡＴのＰＩＤは０ｘ００（１６進表現）である。
【００４７】
トランスポートストリームを復号して再生映像信号を求めるためには、ＭＰＥＧシステム復号処理とＭＰＥＧビデオ復号処理とを行う必要がある。ＭＰＥＧシステム復号処理において、トランスポートストリームを構成する各パケットは、パケットヘッダに含まれているＰＩＤに基づき、種類別に、複数の復号部に振り分けられる。ＭＰＥＧビデオ復号部は、このような復号部の１つとして動作する。ＭＰＥＧビデオ復号部は、振り分けられたパケットからＭＰＥＧ２ビデオエレメンタリーストリームを求めた後、求めたストリームをＭＰＥＧ２規格に準拠して復号する。
【００４８】
ところが、第１および第２の実施形態に係る映像再生システム１、２において、映像ストリームがトランスポートストリームの状態で供給され、かつ、黒映像ストリームとその直前に復号されていた映像ストリームとでパケットのＰＩＤが異なっていると、黒映像ストリームを構成する各パケットが、ＭＰＥＧ２復号部に正しく振り分けられない。そこで、本実施形態に係る映像再生システム３は、直前に復号されていた映像ストリームに引き続いて復号できるような黒映像ストリームを生成する。
【００４９】
映像再生システム３は、以下のように動作する。ＭＰＥＧトランスポートストリーム供給部３１、バッファ１５、ＭＰＥＧシステム復号部３４、ＭＰＥＧビデオ復号部１６は、次のようなＭＰＥＧトランスポートストリームの再生系を構成する。ＭＰＥＧトランスポートストリーム供給部３１は、トランスポートストリームを蓄積している。ＭＰＥＧトランスポートストリーム供給部３１は、第１および第２の実施形態と同様に、蓄積したトランスポートストリームを、映像ストリーム切替部１４を経由してバッファ１５に供給する。このようにして、ＭＰＥＧトランスポートストリーム供給部３１は、トランスポートストリームに多重化した状態で、映像ストリームであるＭＰＥＧエレメンタリービデオストリームをバッファ１５に供給する。
【００５０】
バッファ１５は、ＭＰＥＧシステム復号部３４のデータバッファとして機能し、ＭＰＥＧトランスポートストリーム供給部３１から供給されたトランスポートストリームを一時的に蓄積する。ＭＰＥＧシステム復号部３４は、バッファ１５に蓄積されたトランスポートストリームをパケットごとに読み出し、各パケットのＰＩＤに基づき、種類別に、複数の復号部に振り分ける。ＭＰＥＧシステム復号部３４は、ＰＩＤがＭＰＥＧ２ビデオエレメンタリーストリームのＰＩＤに一致するパケットからデータ部分を取りだして、ＭＰＥＧビデオ復号部１６に供給する。ＭＰＥＧビデオ復号部１６は、ＭＰＥＧシステム復号部３４から供給された映像ストリームをＭＰＥＧ２ビデオ規格に準拠して復号し、復号結果である再生映像信号１２３を出力する。
【００５１】
パラメータ抽出部３２は、ＭＰＥＧトランスポートストリーム供給部３１から出力されたトランスポートストリームから、ストリーム多重化に関するパラメータを抽出する。ここで、ストリーム多重化に関するパラメータには、パケットヘッダに含まれる情報と、ＭＰＥＧ２システムストリームに含まれる情報とが含まれる。パラメータ抽出部３２は、ＭＰＥＧトランスポートストリーム供給部３１から順次出力されるパケットについて、以下の処理を行う。
【００５２】
パラメータ抽出部３２は、まず、順次入力されるパケットのうちから、ＰＩＤが０ｘ００（１６進表現）であるパケットを探し、発見したパケットからＰＡＴ情報を求める。次に、パラメータ抽出部３２は、求めたＰＡＴ情報からＰＭＴのＰＩＤを取得する。次に、パラメータ抽出部３２は、順次入力されるパケットのうちから、ＰＩＤがＰＭＴのＰＩＤに一致するパケットを探し出す。ＰＭＴには、ストリームに多重化されている各パケットのＰＩＤが、１バイト長のストリームタイプとの組で記述されている。ＭＰＥＧ２ビデオエレメンタリーストリームのストリームタイプは、０ｘ０２（１６進表現）である。パラメータ抽出部３２は、ＭＰＥＧ２ビデオエレメンタリーストリームに使用されているＰＩＤを求める。
【００５３】
黒映像ストリーム供給部３３は、パラメータ抽出部３２からＭＰＥＧ２ビデオエレメンタリーストリームのＰＩＤを受け取り、受け取ったＰＩＤに応じて黒映像ストリームを生成して供給する。より詳細には、黒映像ストリーム供給部３３は、受け取ったＰＩＤを有し、黒映像ストリームをデータ部分に含み、かつ、ＭＰＥＧシステム復号部３４とＭＰＥＧビデオ復号部１６とが映像ストリームに引き続いて復号できるようなパケットを生成して供給する。
【００５４】
トランスポートストリームを利用する各機器については、各機器に関する規格で、トランスポートストリームにはＰＡＴおよびＰＭＴが所定の時間間隔で出現することが定められている。例えば、米国ＤＴＶについては、ＡＴＳＣ（Ａｄｖａｎｃｅｄ　Ｔｅｌｅｖｉｓｉｏｎ　Ｓｙｓｔｅｍｓ　Ｃｏｍｍｉｔｔｅｅ　）で規格化された「ＡＴＳＣ　Ｄｏｃｕｍｅｎｔ　Ａ／５３」に、ＢＳデジタル放送については、電波産業会（ＡＲＩＢ：Ａｓｓｏｃｉａｔｉｏｎ　ｏｆ　Ｒａｄｉｏ　Ｉｎｄｕｓｔｒｉｅｓ　ａｎｄ　Ｂｕｓｉｎｅｓｓｅｓ）で規格化された「ＡＲＩＢ　ＳＴＤ−１０　デジタル放送に使用する番組配列情報」に、ＰＡＴおよびＰＭＴの挿入時間間隔が規定されている。図７は、米国ＤＴＶおよびＢＳデジタル放送で規定されているＰＡＴおよびＰＭＴの挿入時間間隔を示すテーブルである。黒映像ストリーム供給部３３は、図７に示した時間より短い時間間隔で、読み取った映像ストリームと同じ情報を有するＰＡＴおよびＰＭＴを含んだパケットを挿入して、黒映像ストリームを出力する。
【００５５】
また、黒映像ストリームとその直前の映像ストリームとの間で、トランスポートストリームに含まれるプログラムクロックリファレンス（ｐｒｏｇｒａｍ＿ｃｌｏｃｋ＿ｒｅｆｅｒｅｎｃｅ　）や、パケットヘッダに含まれる連続性カウンタ（ｃｏｎｔｉｎｕｉｔｙ＿ｃｏｕｎｔｅｒ）が連続している必要がある。そこで、黒映像ストリーム供給部３３は、黒映像ストリームとその直前の映像ストリームとの間で、これらの値を連続させる処理も行う。
【００５６】
映像再生システム３は、ストリーム切り替え時点で再生されていたトランスポートストリームに引き続いて再生でき、黒映像ストリームを含んだパケットを生成する点と、ＭＰＥＧシステム復号処理を行う点とを除き、第１の実施形態に係る映像再生システム１と同様に動作する。このため、ＭＰＥＧビデオ復号部１６および表示部５２は、ストリーム切り替え後も、リセット動作を行うことなく、引き続いて黒映像ストリームを復号して表示することができる。したがって、映像ストリームがトランスポートストリームの状態で供給された場合でも、映像信号を切り替える際に生じる表示映像の乱れを軽減することができる。
【００５７】
なお、上記の説明では、映像再生システム３は、ＭＰＥＧ２システム規格で規定されたトランスポートストリームを再生し画面表示を行うこととしたが、これに代えて、ＭＰＥＧ２システム規格で規定されたプログラムストリームを再生し画面表示を行ってもよい。プログラムストリームを再生し画面表示を行う映像再生システムは、トランスポートシステムを再生し画面表示を行う映像再生システムと、同様の原理で構成される。
【００５８】
（第４の実施形態）
図８は、本発明の第４の実施形態に係る映像再生システムの構成を示すブロック図である。図８に示す映像再生システム４は、映像再生装置４０と表示装置５０とを備えている。映像再生装置４０は、制御部４１、ＭＰＥＧトランスポートストリーム供給部４２、バッファ１５、ＭＰＥＧシステム復号部３４、および、ＭＰＥＧビデオ復号部１６を含んでいる。表示装置５０は、映像信号切替部５１、および、表示部５２を含んでいる。本実施形態の構成要素のうち、第１または第３の実施形態と同一の構成要素については、同一の参照符号を付して、説明を省略する。
【００５９】
ＭＰＥＧトランスポートストリーム供給部４２は、第３の実施形態と同様に、ＭＰＥＧ２規格に準拠したトランスポートストリームを供給する。ただし、ＭＰＥＧトランスポートストリーム供給部４２から供給されるトランスポートストリームは、図９に示すように、表示すべき映像を符号化して得られた映像ストリームを含んだトランスポートストリーム（図９（ａ））の後に、所定の時間Ｔａの黒映像を符号化して得られた黒映像ストリームを含んだ黒映像トランスポートストリームを連結して得られたストリーム（図９（ｂ））であるとする。
【００６０】
制御部４１は、バッファ１５の状態を監視し、映像切替信号１２２を出力する。制御部４１は、典型的には、第１ないし第３の実施形態と同様に、映像再生装置４０に含まれるＣＰＵ（図示せず）が所定のプログラムを実行することにより実現される。制御部４１は、映像再生時には、「再生映像信号」を指定した映像切替信号１２２を出力する。このとき、制御部４１は、ＭＰＥＧトランスポートストリーム供給部４２からバッファ１５に対して、映像ストリームの終端部分が供給されたか否かを調べる。図８に示す検出信号１１１は、映像ストリームの終端部分が供給されたことを示す信号である。制御部４１が映像ストリームの終端部分を検出する方法は、第１の実施形態と同様である。
【００６１】
制御部４１は、映像ストリームの終端部分がバッファ１５に供給されたことを検出したとき（以下、終端検出時点という）から、所定の時間Ｔｂだけ経過したときに、映像切替信号１２２を「再生映像信号以外の映像信号」を指定するように切り替える。時間Ｔｂは、黒映像ストリームがバッファ１５に供給されたときから、表示部５２に黒映像が表示されるまでの時間Ｔｃより長く、かつ、上記時間Ｔａより短いものとする。したがって、映像再生システム４は、終端検出時点から時間Ｔｃだけ経過したときに、黒映像を画面に表示し、その後、終端検出時点から時間Ｔｂだけ経過したときから、映像信号１２４に基づく画面を表示し始める。また、時間Ｔｂは、黒映像が表示される時間Ｔａより短いので、映像信号の切り替えは、黒映像が表示されている間に行われる。よって、本実施形態に係る映像再生システム４によれば、黒映像ストリームをリアルタイムで生成することなく、映像信号を切り替える際に生じる表示映像の乱れを軽減することができる。本実施形態は、映像再生装置のハードウェア能力が、映像ストリームからパラメータを抽出し、黒映像ストリームを生成する処理を行うのに十分でない場合に、特に効果的である。
【００６２】
第１の実施形態でも述べたように、映像再生システム４では、黒映像ストリームがバッファ１５に供給されたときから、表示部５２に黒映像が表示されるまでの時間Ｔｃは、映像ストリームの内容やＭＰＥＧビデオ復号部１６の特性等によって異なり、一定ではない。しかし、各種の映像ストリームについて上記時間Ｔｃを実験的に求め、時間Ｔｃの最大値と最小値とを予め求めておくことができる。したがって、上記時間Ｔｂには、このようにして求めた時間Ｔｃの最大値より長い時間を使用し、黒映像が表示される時間Ｔａには、時間Ｔｂより長い時間を使用すればよい。
【００６３】
以上に示すように、本発明の第１ないし第４の実施形態に係る映像再生システムは、映像再生装置から黒映像信号と映像切替信号とを適切なタイミングで出力し、黒映像が表示されている間に映像信号を切り替えることにより、映像信号を切り替える際に生じる表示映像の乱れを軽減することができる。
【００６４】
なお、第１ないし第４の実施形態では、表示装置５０には、映像再生装置から出力された再生映像信号１２３と、他の映像信号出力装置から出力された映像信号１２４とが入力されることとしたが、再生映像信号１２３と映像信号１２４とは、１つの装置から出力されたものであってもよい。このような映像再生システムの具体例として、パーソナルコンピュータを用いた商品情報提供システムについて説明する。以下に示す商品情報提供システムは、映像ストリームを再生して得られた画面と、プレゼンテーション画面生成プログラムで生成されたプレゼンテーション画面とを選択的に画面に表示する。このシステムは、例えば店頭に設置され、動画（再生された映像）と静止画（プレゼンテーション画面）とを用いて、店舗で販売されている商品に関する情報を提供する。
【００６５】
例えば、第１の実施形態を例として説明すると、映像再生装置１０は、パーソナルコンピュータを用いて構成される。ＭＰＥＧビデオストリーム供給部１２は、ＣＤ−ＲＯＭやハードディスク等の記憶媒体によって構成される。バッファ１５およびＭＰＥＧビデオ復号部１６は、ＭＰＥＧ復号ボードによって構成される。パーソナルコンピュータには、ＭＰＥＧ復号ボードを制御するためのプログラム（以下、復号制御プログラムという）が搭載される。復号制御プログラムは、ＭＰＥＧ復号ボードに各種のパラメータを設定する機能や、ＭＰＥＧ復号ボードにストリームを供給する機能等を有する。制御部１１、黒映像ストリーム供給部１３、および、映像ストリーム切替部１４は、パーソナルコンピュータのＣＰＵが復号制御プログラムを実行することにより実現される。他の映像信号出力装置も、映像再生装置１０と同じパーソナルコンピュータを用いて構成される。パーソナルコンピュータのＣＰＵがプレゼンテーション画面生成プログラムを実行することにより、パーソナルコンピュータは、他の映像信号出力装置として機能し、映像信号１２４を出力する。表示装置５０には、ＰＤＰ（Ｐｌａｓｍａ　Ｄｉｓｐｌａｙ　Ｐａｎｅｌ）等、大画面の表示装置が使用される。第２ないし第４の実施形態についても、同様の商品情報提供システムを構成することができる。
【図面の簡単な説明】
【図１】本発明の第１の実施形態に係る映像再生システムの構成を示すブロック図である。
【図２】本発明の第２の実施形態に係る映像再生システムの構成を示すブロック図である。
【図３】ＢＳデジタル放送で使用される映像信号のフォーマットを示すテーブルである。
【図４】ＭＰＥＧビデオエレメンタリーストリームに含まれるシーケンスヘッダの内容を示すテーブルである。
【図５】本発明の第３の実施形態に係る映像再生システムの構成を示すブロック図である。
【図６】ＭＰＥＧトランスポートストリームに含まれるパケットヘッダの内容を示すテーブルである。
【図７】米国ＤＴＶおよびＢＳデジタル放送で規定されているＰＡＴおよびＰＭＴの挿入時間間隔を示すテーブルである。
【図８】本発明の第４の実施形態に係る映像再生システムの構成を示すブロック図である。
【図９】本発明の第４の実施形態に係る映像再生システムで再生されるトランスポートストリームを示す図である。
【図１０】従来の表示装置の構成を示すブロック図である。
【符号の説明】
１〜４…映像再生システム
１０、２０、３０、４０…映像再生装置
１１、４１…制御部
１２、２１…ＭＰＥＧビデオストリーム供給部
１３、２３、３３…黒映像ストリーム供給部
１４…映像ストリーム切替部
１５…バッファ
１６…ＭＰＥＧビデオ復号部
２２…フォーマット判別部
３１、４２…ＭＰＥＧトランスポートストリーム供給部
３２…パラメータ抽出部
３４…ＭＰＥＧシステム復号部
５０…表示装置
５１…映像信号切替部
５２…表示部
１１１…検出信号
１２１…ストリーム切替信号
１２２…映像切替信号
１２３…再生映像信号
１２４…映像信号
【図１】
2004072618.tif 000003
【図２】
2004072618.tif 000004
【図３】
2004072618.tif 000005
【図４】
2004072618.tif 000006
【図５】
2004072618.tif 000007
【図６】
2004072618.tif 000008
【図７】
2004072618.tif 000009
【図８】
2004072618.tif 000010
【図９】
2004072618.tif 000011
【図１０】
2004072618.tif 000012